(57)【要約】【課題】  出入口幅において狭幅の戸開空所を形成した位置で引き戸の開閉移動を阻止することができるエレベーター乗場のドアー装置を得る。【解決手段】  かご内の乗客を救出するための異常対策作業に、引き戸２を手動で解錠して、出入口２幅において狭幅の戸開空所Ｂを形成する位置に配置し、開閉移動阻止具１３によって引き戸２を狭幅の戸開空所Ｂを形成した位置において開閉移動を阻止する。  この状態で、戸開空所Ｂを介して、巻上機の制動機を手動操作すると共に、戸開空所Ｂからかごの動きを観察しながら、かごを昇降路の所定位置に停止させる作業を行う。このため、物体の昇降路転落事故を防止し、引き戸２が移動し戸開空所Ｂが閉じる作業阻害を防いで、異常対策作業を容易、かつ能率化してかご内乗客の救出を迅速化する。【選択図】        図１
2005138921.tif 000002
【特許請求の範囲】
【請求項１】
エレベーターの乗場に設けられた出入口、この出入口の幅方向に移動して上記出入口を開閉する引き戸と、要時に一側が上記出入口の下縁部に締結具によって締結され他側は上記引き戸の戸の脚に係合され、戸開した上記引き戸が上記出入口幅において狭幅の戸開空所を形成する位置で上記引き戸の開閉移動を阻止する開閉移動阻止具とを備えたエレベーター乗場のドアー装置。
【請求項２】
エレベーターの乗場に設けられた出入口、この出入口の幅方向に互いに反対方向へ移動して上記出入口を開閉する左引き戸及び右引き戸の両者と、要時に上記両者の戸の脚に係合され、戸開した上記両者が上記出入口幅において狭幅の戸開空所を形成する位置で上記両者の開閉移動を阻止する開閉移動阻止具とを備えたエレベーター乗場のドアー装置。
【発明の詳細な説明】
【技術分野】
【０００１】
この発明は、昇降路に設けられた乗場に設置されて出入口を開閉する引き戸によって構成されたエレベーター乗場のドアー装置に関する。
【背景技術】
【０００２】
従来のエレベーター乗場のドアー装置においては、乗場側に位置する第一の乗場戸の戸当たり側の側面に装着体を装着し、この装着体に軸方向に移動可能にまた回転可能に連結して連結棒を設けると共に、この連結棒の一端に第一の係止部を設け、この第一の係止部を第一の乗場戸と第二の乗場戸間の間隙から挿入した後、連結棒を回転して第一の係止部で第二の乗場戸が開放方向へ移動する距離を所定の開放寸法に制限するように構成にしている。（例えば、特許文献１参照）。
【０００３】
【特許文献１】特開平９−３１５７４２号公報（要約、図１）
【発明の開示】
【発明が解決しようとする課題】
【０００４】
従来のエレベーター乗場のドアー装置では、乗場の出入口を開閉する引き戸の開放寸法を所定値に制限し、引き戸の戸開空所から物体が昇降路へ転落する事故を防止することができる。
また、エレベーターにおいて停電等の異常発生時にエレベーターのかご内の乗客を救出するために、次に述べるようなエレベーターの異常対策作業が行われる。
【０００５】
すなわち、引き戸を戸開して狭幅の戸開空所を形成した状態に保持し、狭幅の戸開空所を介して操作索によってエレベーターの巻上機の制動機を手動解放操作する。これと共に、狭幅の戸開空所からかごの動きを観察しながら、かごを昇降路の所定位置に停止させる作業が行われる。しかし、この異常対策作業時に引き戸が戸閉方向に付勢されているので、引き戸が所定の開放位置から戸閉移動して異常対策作業が阻害される恐れがあるという問題点があった。
【０００６】
この発明は、かかる問題点を解消するためになされたものであり、出入口幅において狭幅の戸開空所を形成した位置で引き戸の開閉移動が阻止されるエレベーター乗場のドアー装置を得ることを目的とする。
【課題を解決するための手段】
【０００７】
この発明に係るエレベーター乗場のドアー装置においては、エレベーターの乗場に設けられた出入口、この出入口の幅方向に移動して出入口を開閉する引き戸と、要時に一側が出入口の下縁部に締結具によって締結され他側は引き戸の戸の脚に係合され、戸開した引き戸が出入口幅において狭幅の戸開空所を形成する位置で引き戸の開閉移動を阻止する開閉移動阻止具とが設けられる。
【発明の効果】
【０００８】
この発明によるエレベーター乗場のドアー装置は、例えば停電発生時にエレベーターのかご内の乗客を救出するための異常対策作業時に、引き戸の鎖錠が作業員によって手動解錠されて、出入口幅において狭幅の戸開空所を形成する位置に引き戸が戸開される。そして、開閉移動阻止具によって引き戸が狭幅の戸開空所を形成した状態で開閉移動が阻止される。
【０００９】
この状態で、引き戸によって形成された狭幅の戸開空所を介して、巻上機の制動機を手動操作すると共に、狭幅の戸開空所からかごの動きを観察しながら、かごを昇降路の所定位置に停止させる異常対策作業が行われる。これにより、戸開空所から物体が昇降路へ転落する事故を防止することができると共に、戸開空所が引き戸の戸閉方向付勢によって閉塞されて異常対策作業が阻害される不具合を未然に防ぐことができる。したがって、異常対策作業が容易、かつ能率的にでき、かご内乗客の救出を迅速化する効果がある。
【発明を実施するための最良の形態】
【００１０】
実施の形態１．
図１〜図５は、この発明の実施の形態を示す図で、図１は出入口の下縁部を概念的に示す正面図、図２は図１の平面図、図３は図１の要部側面図、図４は図１の開閉移動阻止具の斜視図、図５は図１の開閉移動阻止具の締結構造を説明する図４のＡ−Ａ線断面図である。図において、エレベーター乗場の出入口１の幅方向に移動して出入口１を開閉する引き戸２が設けられる。
【００１１】
また、引き戸２は上端部に設けられた吊り手（図示しない）が出入口１の上縁部に設けられた案内レール（図示しない）に案内され、また下端部に設けられた戸の脚３が出入口１の敷居、すなわち出入口１の下縁部４に設けられた案内溝５に案内されて開閉動作する。そして、引き戸２の下端と下縁部４の間には図１に示す隙間Ａが形成されて出入口１に配置され、また引き戸２が閉動作して出入口１の戸当たり側の縁部６に当たって出入口１を全閉する。
【００１２】
そして、案内溝５に空隙を形成して嵌合される阻止片７に、これを上下方向に貫通してねじ孔８が設けられ、また阻止片７の下面から楔状空所９が形成されて、下側に開口し長手が案内溝５の長手に沿う方向に配置される。なお、ねじ孔８は阻止片７の下面側が先細に形成される。
【００１３】
また阻止板１０の一側が、この一側に挿通されて阻止片７のねじ孔８にねじ込まれたボルト１１によって阻止片７に締結され、他側に形成された凹所１２の両側面が戸の脚３の両側に配置される。そして、阻止片７、ボルト１１によって締結具が形成され、また阻止片７、ボルト１１及び阻止板１０を主要部材として開閉移動阻止具１３が形成される。
【００１４】
上記のように構成されたエレベーター乗場のドアー装置において、開閉移動阻止具１３が撤去された状態でエレベーターが通常運転され、引き戸２がドアー開閉装置（図示しない）によって駆動されて出入口１の幅方向に移動して出入口１を開閉する。そして、停電等の異常発生時にエレベーターのかご内の乗客を救出するために、次に述べるようなエレベーターの異常対策作業が行われる。
【００１５】
すなわち、図示が省略してあるが引き戸２の鎖錠機構が異常対策作業員によって手動解錠される。そして引き戸２が全閉位置から、出入口１の戸当たり側の縁部６と引き戸２端との間に、図１に示す幅５cm〜１０cmの狭幅の戸開空所Ｂを形成する位置に手動戸開される。次いで、引き戸２が戸開空所Ｂを形成した位置に配置された状態で、阻止片７が下縁部４の案内溝５に嵌合される。
【００１６】
そして、引き戸２の戸の脚３に阻止板１０の凹所１２が嵌合され、また阻止板１０にボルト１１が挿通されて阻止片７のねじ孔８にねじ込まれる。これにより、阻止片７の下面側が拡幅することによって案内溝５に阻止片７が嵌着される。そして開閉移動阻止具１３によって、引き戸２が開閉移動が阻止されて戸開しかつ狭幅の戸開空所Ｂを形成した状態に保持される。
【００１７】
そして、狭幅の戸開空所Ｂを形成した状態で、すなわち戸開した引き戸２によって形成された狭幅の戸開空所Ｂを介して、図示が省略してあるが操作索によってエレベーターの巻上機の制動機を手動操作して制動を解除する。これとと共に、狭幅の戸開空所Ｂからかごの動きを観察しながら、かごを昇降路の所定位置に停止させる異常対策作業が行われる。これにより、戸開空所Ｂから物体が昇降路へ転落する事故を防止することができると共に、戸開空所Ｂが引き戸の戸閉方向付勢によって閉塞されて異常対策作業が阻害される不具合を未然に防ぐことができる。
【００１８】
したがって、異常対策作業を容易、かつ能率よく実施できてかご内乗客を迅速に救出することができる。また、開閉移動阻止具１３を構成する阻止板１０の凹所１２が、引き戸２の戸の脚３に嵌合されて引き戸２の開閉移動が阻止される。このため、引き戸２の構造によって開閉移動阻止具１３による開閉移動阻止が不能になることがなく、既設の旧型エレベーターについても開閉移動阻止具１３によって異常対策作業時に引き戸２の開閉移動を確実に阻止することができる。
【００１９】
実施の形態２．
図６は、この発明の他の実施の形態を示す図で、出入口の下縁部を概念的に示す斜視図である。なお、図６の他は前述の図１〜図５の実施の形態と同様にエレベーター乗場のドアー装置が構成されている。図において、図１〜図５と同符号は相当部分を示し、引き戸が二枚戸片引き戸によって構成されて高速の戸１４及び低速の戸１４１の両者が設けられる。
【００２０】
また、上記両者のそれぞれに対応して出入口１の下縁部４に、案内溝５及び案内溝５１が設けられる。そして、開閉移動阻止具１３が、阻止板１０、阻止板１０の一側に立設され下端が案内溝５に嵌合された第一締結板１５、下端部が案内溝５１に嵌合されて上縁部が水平に屈折されて屈折端が第一締結板１５の側面に突き当てられた第二締結板１６及び第一締結板１５に挿通されて第二締結板１６にねじ込まれた蝶ねじ１７によって構成される。
【００２１】
上記のように構成されたエレベーター乗場のドアー装置においても、下端が案内溝５に嵌合された第一締結板１５と、下端部が案内溝５１に嵌合された第二締結板１６とを蝶ねじ１７によって締結具が構成される。そして、蝶ねじ１７を締め付けることによって、阻止板１０が出入口１の下縁部４に締結される。これにより、開閉移動阻止具１３によって異常対策作業時に引き戸２の開閉移動を阻止することができる。したがって、詳細な説明を省略するが図６の実施の形態においても図１〜図５の実施の形態と同様な作用が得られる。
【００２２】
実施の形態３．
図７〜図９も、この発明の他の実施の形態を示す図で、図７は出入口の下縁部を概念的に示す正面図、図８は図７の平面図、図９は図７の要部側面図である。なお、図７〜図９の他は前述の図１〜図５の実施の形態と同様にエレベーター乗場のドアー装置が構成されている。図において、図１〜図５と同符号は相当部分を示し、引き戸が両開き引き戸によって構成されて互いに反対方向へ動作して出入口１を開閉する左引き戸１８及び右引き戸１８１の両者が設けられる。
【００２３】
また、阻止板により開閉移動阻止具１９が形成され、開閉移動阻止具１９の長手方向に互いに離れて凹所２０が設けられて、上記両者の互いに対向した戸の脚３のそれぞれに嵌合する位置に凹所２０が配置される。そして、図７に示すように上記両者の相互間に幅５cm〜１０cmの狭幅の戸開空所Ｂを形成する位置に上記両者が配置された状態で、開閉移動阻止具１９の凹所２０が上記両者の互いに対向した戸の脚３のそれぞれに嵌合される。
【００２４】
上記のように構成されたエレベーター乗場のドアー装置においても、異常対策作業時に上記両者の相互間に幅５cm〜１０cmの狭幅の戸開空所Ｂを形成する位置に上記両者を配置して、開閉移動阻止具１９の凹所２０が上記両者の互いに対向した戸の脚３のそれぞれに嵌合される。これにより、開閉移動阻止具１９によって異常対策作業時に上記両者の開閉移動を阻止することができる。したがって、詳細な説明を省略するが図７〜図９の実施の形態においても図１〜図５の実施の形態と同様な作用が得られる。
【図面の簡単な説明】
【００２５】
【図１】この発明の実施の形態１を示す図で、出入口の下縁部を概念的に示す正面図。
【図２】図１の平面図。
【図３】図１の要部側面図。
【図４】図１の開閉移動阻止具の斜視図。
【図５】図１の開閉移動阻止具の締結構造を説明する図４のＡ−Ａ線断面図。
【図６】この発明の実施の形態２を示す図で、出入口の下縁部を概念的に示す斜視図。
【図７】この発明の実施の形態３を示す図で、出入口の下縁部を概念的に示す正面図。
【図８】図７の平面図。
【図９】図７の要部側面図。
【符号の説明】
【００２６】
１  出入口、２  引き戸、１３  開閉移動阻止具、１８  左引き戸、１８１  右引き戸、１９  開閉移動阻止具、Ｂ  狭幅の戸開空所。
【図１】
2005138921.tif 000003
【図２】
2005138921.tif 000004
【図３】
2005138921.tif 000005
【図４】
2005138921.tif 000006
【図５】
2005138921.tif 000007
【図６】
2005138921.tif 000008
【図７】
2005138921.tif 000009
【図８】
2005138921.tif 000010
【図９】
2005138921.tif 000011